(57)【要約】【課題】多くの場合、壁に時計やカレンダーなどを掛ける場合に建物に傷をつけないで掛ける事は出来ない。一般的には壁への鋲打ち、釘やねじ込みフックなどで止めて傷や穴を開けている、傷を付けない方法では吸盤や建材への挟み込み、引っ掛け方式などが有るが最近の住宅は長押や柱、和室が無い建て方が多くなっており容易にフックが掛けられなくなっている。【解決手段】天井と廻り縁の間にわずかなすき間を確保し差し込み部を挿入する事で一切建物には傷を付けずに簡単にフックが掛けられ、簡単に引抜くだけで元の状態に戻せる廻り縁挿入フックを提供する。【選択図】図１
2013188432.tif 000002
【特許請求の範囲】
【請求項１】
天井（２）と内壁（７）の隅部に設けられる廻り縁（８）に取り付けるフック（３）であって、該フック（３）は略水平面からなる差し込み部（１）と、該差し込み部（１）の一端で屈曲してなる垂下部（４）と、該垂下部（４）の下端で前記差し込み部（１）と逆方向に屈曲しフック部（１１）に接続され、その先に鉤状部を備えた掛け部（６）と、で構成されていることを特徴とするフック。
【請求項２】
前記差し込み部（１）がその端部から垂下部（４）方向へいくにしたがって上る方向に勾配が設けられ、前記垂下部（４）の略中央部において、折曲斜降部（１６）が設けられていることを特徴とする請求項１に記載のフック。
【請求項３】
前記垂下部（４）が上端の長さ調整部（１０）と垂下状の連結体（１２）と下端のジョイント部（１５）とで構成されており、前記長さ調整部（１０）を介して差し込み部（１）に接続され、該連結体（１２）の下端のジョイント部を介して下方のフック部（１１）に接続され、その先に掛け部（６）が設けられていることを特徴とする請求項１又は請求項２に記載のフック。
【請求項４】
前記差し込み部（１）が折り返し部（１３）を有する多重構造であることを特徴とする請求項１〜３のいずれかに記載のフック。
【発明の詳細な説明】
【技術分野】
【０００１】
本発明は壁面を傷つける事なく品物を取り付ける事が出来るフックに関するものである。
【背景技術】
【０００２】
従来、建物の壁面に時計やカレンダー等の掲示物を取り付けたり、洗濯物やその他の物を掛けたりする場合は画鋲で止めたり、また、図５に示すように、住宅等の建物の鴨居の上部壁面で柱と柱をつなぐ水平部材としての長押（６０）にフック（３）の設置側止め部（２０）を引っ掛け、設置側支え部（３０）を介して垂下部（４）に連接される掛け側支え部（４０）と掛け側止め部（５０）に掛け物（５）を引っ掛けて保持していた。前記垂下部(４)は粘着剤（７０）や、ネジ、ピン等で長押（６０）に取り付けられていた。このように、柱や壁面などに釘やネジを打って、これらの生活用品を取り付ける構成ゆえ、これらの取り付け方法では、建物の壁面に傷や汚れ等が生じることが多々発生していた。また、取り付け位置を変える必要が生じたり、取り付け不要になった場合は、その穴や傷や汚れが目立ち、美観を損なうだけでなく修復する場合は多額の費用が発生するため、不用意に取り付け固定できないといった問題点があった。
【０００３】
また、最近の住宅はコストを下げる為に、長押や柱がなかったり、和室そのものが無い建て方をする事が多くなっており、容易に掲示物や物を引っ掛ける事は困難な状況となっている。
【０００４】
そこで、前記問題点を解消するため、建物の壁面に傷を付けない取り付け方法として、吸盤で固定するタイプ（例えば特開平５−６７５１８号公報参照）や、鴨居などに吊り下げるタイプ（例えば特開平９−２６６９９９号公報参照）や、廻り縁の側部開口部に自在にスライド可能に挿合させてなる摺動子にフックを設けた構成を有する廻り縁の記載がある（例えば実開平６−１８５４４号公報参照）。
【先行技術文献】
【特許文献】
【０００５】
【特許文献１】特開平５−０６７５１８号公報。
【特許文献２】特開平９−２６６９９９号公報。
【特許文献３】実開平６−１８５４４号公報。
【発明の概要】
【発明が解決しようとする課題】
【０００６】
しかしながら、上記記載の特開平５−０６７５１８号公報においては、吸盤タイプは長期にわたる固定力に劣り長期耐久性に問題があり、また、長期にわたってフックを取り付け固定することが困難であるという問題点がある。また、特開平９−２６６９９９号公報においては、鴨居や長押などに吊り下げるタイプのフックなどでは通路に設置するので邪魔になる事が多かった。また、実開平６−１８５４４号公報においては、構造が複雑であるゆえ、製造手間もかかり高価になるといった問題点があった。このように、市販されているものでは後付けで建物に傷や穴を開けずに必要な場所に移動可能で、ある程度の重量でも支えられるフックが存在していなかった。また、天井と廻り縁の間に挿入するタイプのフックも存在しなかった。本願発明の課題は、壁面を傷つける事なく品物を取り付ける事が出来るフックで、しかも、長期耐久性に優れ通行の支障にならないフックを安価に提供することを目的とする。
【課題を解決するための手段】
【０００７】
上記課題を解決するためになされた本願発明の請求項１は、天井（２）と内壁（７）の隅部に設けられる廻り縁（８）に取り付けるフック（３）であって、該フック（３）は略水平面からなる差し込み部（１）と、該差し込み部（１）の一端で屈曲してなる垂下部（４）と、該垂下部（４）の下端で前記差し込み部（１）と逆方向に屈曲しフック部に接続され、その先に鉤状部を備えた掛け部（６）と、で構成されていることを特徴とする。係る構成によれば、壁面を傷つける事なく品物を取り付ける事が出来る。
【０００８】
本願発明の請求項２は、請求項１に記載のフックにおいて、前記差し込み部（１）がその端部から垂下部（４）方向へいくにしたがって上る方向に勾配が設けられ、前記垂下部（４）の略中央部において、折曲斜降部（１６）が設けられていることを特徴とする。係る構成によれば、品物を取り付けるに際し壁面を傷つける事なく、しかも長期耐久性に優れたものとなる。
【０００９】
本願発明の請求項３は、請求項１又は請求項２に記載のフックにおいて、前記垂下部（４）が上端の長さ調整部（１０）と垂下状の連結体（１２）と下端のジョイント部（１５）とで構成されており、前記長さ調整部（１０）を介して差し込み部（１）に接続され、該連結体（１２）の下端のジョイント部（１５）を介して下方のフック部（１１）に接続され、その先に掛け部（６）が設けられていることを特徴とする。係る構成によれば、品物を取り付けるに際、壁面を傷つける事なく長期耐久性に優れ、通行の支障にならない。
【００１０】
本願発明の請求項４は、請求項１〜３のいずれかに記載のフックにおいて、前記差し込み部（１）が折り返し部（１３）を有する多重構造であることを特徴とする。係る構成によれば、品物を取り付けるに際し壁面を傷つける事なく長期耐久性に優れ、通行の支障にならない。しかも、差し込み部１が多重折り返し構造ゆえ、施工隙間（９）の大きさの大小に柔軟に対応可能となる。
【００１１】
本願発明のフックは、廻り縁と天井の間に薄い平板を挿入する事で好きな場所に設置が出来て簡単に移動が可能で簡単な工具で設置が出来て壁材に傷を付け無い事が特徴で有る。
【発明の効果】
【００１２】
本願発明のフックによれば、壁面を傷つける事なく品物を取り付ける事が出来る。また、請求項２によれば、品物を取り付けるに際し壁面を傷つける事なく、しかも長期耐久性に優れたものとなる。また、請求項３、４によれば、品物を取り付けるに際、壁面を傷つける事なく長期耐久性に優れ、通行の支障にならない。また、請求項４によれば、差し込み部１が多重折り返し構造ゆえ、施工隙間（９）の大きさの大小に柔軟に対応可能となる。
【図面の簡単な説明】
【００１３】
【図１】本願発明の第一実施形態のフックの取り付け状態を示す説明図である。
【図２】本願発明の第二実施形態のフックの取り付け状態を示す説明図である。
【図３】本願発明の第三実施形態の分割式フックの取り付け状態を示す説明図である。
【図４】本願発明の第四実施形態の差し込み部折り返しフックの取り付け状態を示す説明図である。
【図５】従来のフックの取り付け状態を示す説明図である。
【発明を実施するための形態】
【００１４】
本願発明のフック３について以下図面にしたがって詳しく述べる。図中、１は差し込み部、２は天井、３はフック、４は垂下部、５は掛け物、６は掛け部、７は内壁、８は廻り縁９は施工すき間、１０は長さ調整部、１１はフック部、１２は連結体、１３は折り返し部１４はクロス材、１５はジョイント部、１６は折曲斜降部を示す。また、図１は本願発明の第一実施形態のフックの取り付け状態を示す説明図、図２は本願発明の第二実施形態のフックの取り付け状態を示す説明図、図３は本願発明の第三実施形態の分割式フックの取り付け状態を示す説明図、図４は本願発明の第四実施形態の差し込み部折り返しフックの取り付け状態を示す説明図である。
【００１５】
図１は第一実施形態のフック（３）の取り付け状態を示し、天井（２）と内壁（７）の隅部に設けられる廻り縁（８）に取り付けるフック（３）であって、該フック（３）は略水平面からなる差し込み部（１）と、該差し込み部（１）の一端で屈曲してなる垂下部（４）と、該垂下部（４）の下端で前記差し込み部（１）と逆方向に屈曲しフック部（１１）に接続され、その先に鉤状部を備えた掛け部（６）とで構成されていることを特徴とするフックである。
【００１６】
例えば壁掛け時計等の掛け物（５）を吊り下げる事を想定した図になっているが内壁側に掛けるフック（３）は従来のフックとは異なり特別に引っかかりが無いので、天井（２）と廻り縁（８）の施工隙間（９）に圧入することが可能であり、その圧入の反発力で差し込み部（１）が抜けにくくなり、垂下部（４）方向からの引っ張り荷重を支えることが可能となる。フック（３）は吊り下げる金具としての掛け部（６）までが短くて良い場合や、時計などで金具が外から見えにくい場合などに有効である。
【００１７】
しかも、一体として製造可能であることから低コストで製作することが可能となる。このため、このような構造が好適である。掛け物（５）が軽い場合は、フック（３）の材質を合成樹脂成型体等にし、コストを下げることも可能である。また、釘などは使用しなくとも安定して固定出来るがフック（３）の固定力を向上させ長期耐久性を考慮して釘穴等を設け、釘着することも出来る。
【００１８】
水平に設置される差し込み部（１）は板形状で少なくとも０．１ｍｍ〜１ｍｍ以内の厚みを有し前記差し込み量は少なくとも廻り縁（８）の厚さと同等以上に形成され天井部と廻り縁（８）の接する面の間に挿入又は圧入する事で施工すき間（９）に一定に安定して取り付けされ、且つ、前記天井（２）と前記廻り縁（８）間に圧入する事で接触力が発生し反挿入方向へ抜けにくくなる。かつ前記差し込み部（１）が垂下部方向に変形せずに荷重を受ける事が出来ることを特徴とする廻り縁挿入フックである。
【００１９】
図２は第二実施形態のフック（３）の取り付け状態を示す。天井（２）と内壁（７）との施工すき間（９）への差し込み部（１）が、その端部から垂下部（４）方向へいくにしたがって上る方向に勾配が設けられ、前記垂下部（４）の略中央部において、折曲斜降部（１６）が設けられている。すなわち、施工すき間（９）を差し込み部（１）が出たところで、直角よりやや鋭角にすることで、施工すき間（９）が差し込み部（１）より広い場合などにおいて、フック固定力、長期耐久性にとって、極めて好適である。差し込み部（１）を施工すき間（９）へ挿入する際、勾配部分が廻り縁（８）へ押し当てられ、差し込み部（１）が直角になろうとする反発力で抜けにくく、しかも、ぐらつきを防止出来る構造となる。フック（３）は垂下部（４）の略中央部で廻り縁（８）を避けて内壁（７）側に寄っているが、これは吊り下げ部分を壁側に寄せたい場合や、フック部（１１）の荷重の重心をフック部（１１）の幅方向の中心線上に配置することで、より効果的に掛け物（５）の重量を支えることが出来るので極めて好適な形状となる。また、フック（３）の負荷バランスをとることで耐荷重の向上を図りたい時にも有効である。
【００２０】
前記差し込み部（１）が前記廻り縁（８）を出た所で鋭角になり当該角部は鋭角を保持するバネ性を有し鉛直方向に垂れ下がる。前記垂下部（４）と当該、中央部で内壁（７）の方向に屈曲接近し、端部の前記差し込み部（１）と反対方向に屈曲し、水平面を有し当該端部で折り返し屈曲した掛け部（６）を有するフックである。
【００２１】
図３は、第三実施形態のフック（３）の取り付け状態を示し、請求項１又は請求項２のフック（３）において、前記垂下部（４）が上端の長さ調整部（１０）と垂下状の連結体（１２）と下端のジョイント部（１５）とで構成されており、前記長さ調整部（１０）を介して差し込み部（１）に接続され、該連結体（１２）の下端のジョイント部を介して下方のフック部（１１）に接続され、その先に掛け部（６）が設けられていることを特徴とするフックである。
【００２２】
図３は、差し込み部（１）から垂下部（４）とフック部（１１）を介して、掛け部（６）までの距離を長く取りたい場合に、フック（３）の垂下部（４）をそのまま長くすると、フック（３）の吊り下げ部分である垂下部（４）とフック部（１１）の材料が目立ち易く、天井（２）から吊下げているイメージが強くなり、見栄えが低下する。また、部材のコストも上がるので、垂下部（４）とフック部（１１）を分割する。すなわち、垂下部（４）の上部に長さ調整可能な機能を備えた長さ調整部（１０）を配し、連結体（１２）を介して下部のジョイント部（１５）でフック部（１１）に連接させその先に掛け部（６）を取り付けた構成とする。この時、長さ調整部（１０）、前記連結体（１２）、前記ジョイント部（１５）の材質を、無色で透明度の高い合成樹脂成型体となし、板形状又は糸状にして廻り縁（８）からの吊り下げ物を見えにくくする目的の形状とすると外観上極めて好適である。フック部（１１）は荷重の重心を連結体（１２）の幅方向の中心線上に配置することで、より効果的に掛け物（５）の重量を支えることが出来るので極めて好適な形状となる。
【００２３】
図４は第四実施形態のフック（３）の取り付け状態を示し、請求項１〜３のいずれかに記載のフックにおいて、掛け物（５）が比較的軽いカレンダー等に有効である。図３に対し、差し込み部（１）を折り返す事で折り返し部（１３）を形成し、施工すき間（９）の隙間寸法が一定せず不揃いな場合等に対応させるもので、差し込み部（１）を折り返す事で折り返し部（１３）を形成し差し込み部（1）そのものの厚みを確保する目的と、施工すき間（９）の狭い隙間のなかで折り返されることで、その形は保持され引っ張りに対する力に対応できる。また、天井（２）に貼られているクロス材（１４）に引っ掛け、抜けにくくする効果も兼ねることが出来る。また、そのことで差し込み部（１）は薄くする事が出来、例えば樹脂材で一体構造のシート状で構成する事も可能になる。
【産業上の利用可能性】
【００２４】
本願発明のフックは壁面を傷つける事なく品物を取り付ける事が出来るフックで、しかも、長期耐久性に優れ通行の支障にならないフックを安価に提供できる。しかも、一般住宅の利用のみならず、工場やオフィス等でも廻り縁と天井が有れば広く利用可能でその利用価値は大きい。
【符号の説明】
【００２５】
１    差し込み部
２    天井
３    フック
４    垂下部
５    掛け物
６    掛け部
７    内壁
８    廻り縁
９    施工すき間
１０  長さ調整部
１１  フック部
１２  連結体
１３  折り返し部
１４  クロス材
１５  ジョイント部
１６  折曲斜降部
２０  設置側止め部
３０  設置側支え部
４０  掛け側支え部
５０  掛け側止め部
６０  長押
７０  粘着剤
８０  吸盤
【図１】
2013188432.tif 000003
【図２】
2013188432.tif 000004
【図３】
2013188432.tif 000005
【図４】
2013188432.tif 000006
【図５】
2013188432.tif 000007